【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
集合問合を形成するために、複数のソースからの時間情報および位置情報を集める方法であって、
ユーザーから検索問合を受け取るステップであって、前記検索問合がこれに関係する検索結果を特定するための１つ以上の問合入力を含み、該問合入力が位置のみに基づく検索に対して無制限である、ステップと、
前記検索問合を受け取ることとは独立して、時間情報を情報源から受け取るステップと、
前記検索問合を受け取ることとは独立して、位置情報を他の情報源から受け取るステップと、
前記１つ以上の問合入力、前記受け取った時間情報、および前記受け取った位置情報に応答して、かつこれらの関数として、前記受け取った検索問合と関連した１つ以上の検索結果を特定するステップと、
前記１つ以上の特定された結果を表す１つ以上の図式識別子を地図上に提供するステップであって、前記地図上の前記１つ以上の図式識別子の各々は、これに対応するカレンダー上に１つ以上の時間識別子を有して、前記地図上において前記図式識別子のうち１つをユーザーが選択すると、前記カレンダー上にある前記時間識別子のうちの１つの対応する選択が絞り込まれ、かつ前記カレンダー上において前記時間識別子のうち１つをユーザーが選択すると、前記地図上にある前記図式識別子のうちの１つの対応する選択が絞り込まれるようにする、ステップと、
を含む、方法。
【請求項２】
請求項１記載の方法であって、更に、前記絞り込みに応答して、詳細情報エリアに前記１つ以上の特定された結果の追加テキスト情報を提供するステップを含む、方法。
【請求項３】
請求項１または２に記載の方法において、前記位置情報を受け取るステップは、ユーザーからの以下の位置情報である、インターネット・プロトコル（ＩＰ）アドレス情報、および前記情報源からの位置情報のうち、１つを特定するステップを含む、方法。
【請求項４】
請求項１から３のいずれかに記載の方法において、前記時間情報を受け取るステップは、ユーザーからの以下の時間情報である、前記他の情報源からの時間情報、前記検索問合が受け取られたときの時間情報、および前記１つ以上の結果が特定されたときの時間情報のうち、１つを特定するステップを含む、方法。
【請求項５】
請求項１から４のいずれかに記載の方法において、前記情報源および前記他の情報源は、前記ユーザーと関連のあるユーザー・プロファイルを含む、方法。
【請求項６】
請求項５記載の方法において、前記ユーザー・プロファイルは、デフォルト位置情報、デフォルト時間帯位置、デフォルトＩＰアドレス、ＩＰ履歴のうち少なくとも１つを含む、方法。
【請求項７】
請求項１から６のいずれかに記載の方法であって、更に、前記ユーザーから受け取った検索問合に加えて、ユーザー入力を受け取るステップを含み、前記ユーザー入力が無効時間情報および無効位置情報を特定し、特定するステップは、前記１つ以上の問合入力、前記無効時間情報、および前記無効位置情報に応答して、かつこれらの関数として、前記受け取った問合と関連のある１つ以上の結果を特定するステップを含む、方法。
【請求項８】
請求項１から７のいずれかに記載の方法であって、更に、時間情報および位置情報を定めるために、前記検索問合内に含まれる１つ以上の問合入力を分析するステップを含み、特定するステップは、前記１つ以上の問合入力、前記受け取った時間情報、前記受け取った位置情報、前記定められた時間情報、および前記定められた位置情報に応答し、かつこれらの関数として、前記受け取った問合と関連のある１つ以上の結果を特定するステップを含む、方法。
【請求項９】
集合問合を形成するために、複数のソースからの時間情報および位置情報を集めるシステムであって、
ユーザーから検索問合を受け取るインターフェースであって、前記検索問合がこれに関係する検索結果を特定するための１つ以上の問合入力を含み、該問合入力は位置のみに基づく検索に対して無制限であり、前記ユーザーはこれに関連するユーザー・プロファイルを有し、該ユーザー・プロファイルは、ユーザーから前に受けた検索問合を格納した、インターフェースと、
ターム範囲ライブラリーを格納するメモリー・エリアであって、前記格納されるターム範囲ライブラリーが、受け取った前記検索問合より前に、１つ以上のターム、前記タームの少なくとも１つに対応する時間範囲、および前記タームの少なくとも１つに対応する位置範囲を定める、メモリー・エリアと、
プロセッサーであって、
前記１つ以上の問合入力が前記メモリー・エリアの中にある前記ターム範囲ライブラリーにおける前記タームの１つと一致するか否か判定し、
前記判定から、前記１つ以上の問合入力が前記ターム範囲ライブラリーにおける前記１つ以上のタームと一致すると判定されたとき、前記１つ以上の問合入力、前記対応する時間範囲、前記対応する位置範囲および前記ユーザー・プロファイルに格納された前記検索問合に応答して、かつこれらの関数として、前記受け取った問合と関連した１つ以上の結果を特定し、
前記インターフェースを介して、前記１つ以上の特定された結果を表す１つ以上の図式識別子を地図上に提示する、
ためのコンピューター実行可能命令を実行するように構成されたプロセッサーと、
を含み、前記地図上の前記１つ以上の図式識別子の各々は、これに対応するカレンダー上に１つ以上の時間識別子を有して、前記地図上において前記図式識別子のうち１つをユーザーが選択したことに応答して、前記カレンダー上にある前記時間識別子のうちの１つの対応する選択を選択するように前記プロセッサーが構成された、システム。
【請求項１０】
請求項９記載のシステムにおいて、前記インターフェースは、更に、
前記検索問合とは別に第１情報源から受け取る時間情報と、
前記検索問合とは別に第２情報源から受け取る位置情報と、
を含む、システム。
【請求項１１】
請求項１０記載のシステムにおいて、前記判定から、前記１つ以上の問合入力が前記ターム範囲ライブラリーの中にある前記タームの１つ以上と一致しないと判定したとき、前記プロセッサーは、前記１つ以上の問合入力、前記受け取った時間情報、および前記受け取った位置情報に応答して、かつこれらの関数として、前記受け取った問合と関連のある１つ以上の結果を特定するように構成された、システム。
【請求項１２】
請求項１０または１１に記載のシステムにおいて、前記受け取られた時間情報は、前記他の情報源からの時間情報、前記検索問合が受け取られたときの時間情報、および前記１つ以上の結果が特定されたときの時間情報のうち１つを含む、システム。
【請求項１３】
請求項１０から１２のいずれかに記載のシステムにおいて、前記プロセッサーは、該プロセッサーが前記カレンダー上において前記時間識別子の１つの対応する選択を選択したことに応答して、詳細情報エリアに前記１つ以上の特定された結果の追加テキスト情報を提供するように構成され、前記インターフェースが前記詳細情報エリアをユーザーのために表示する、システム。
【請求項１４】
請求項１０から１３のいずれかに記載のシステムにおいて、前記第１情報源および前記第２情報源のうちの少なくとも１つは、ユーザーと関連した前記ユーザー・プロファイルを含む、システム。
【請求項１５】
請求項１０から１４のいずれかに記載のシステムにおいて、前記ユーザー・プロファイルは、デフォルト位置情報、デフォルト時間帯位置、デフォルトＩＰアドレス、ＩＰ履歴のうちの少なくとも１つを含む、システム。
【請求項１６】
請求項９から１５のいずれかに記載のシステムにおいて、前記インターフェースは、更に、前記ユーザーから受け取った検索問合に加えて、ユーザー入力を受け取るように構成されており、前記ユーザー入力は、無効時間情報および無効位置情報を特定し、特定は、前記１つ以上の問合入力、前記無効時間情報、および前記無効位置情報に応答して、かつこれらの関数として、前記受け取った問合と関連のある１つ以上の結果を特定することを含む、システム。
【請求項１７】
グラフィカル・ユーザー・インターフェース（ＧＵＩ）を表示する方法であって、
ユーザーからの検索入力を受け取る第１表示エリアであって前記受け取った検索入力に関係した検索結果を特定するための第１表示エリアを設けるステップであって、前記検索入力が位置のみに基づく検索に対して無制限である、ステップと、
前記検索入力を受け取る前に、ユーザーに関連したユーザー・プロファイルからのユーザーの検索履歴に基づき、時間情報および位置情報を受け取るステップであって、前記情報源が前記検索入力とは別である、ステップと、
前記検索入力、前記受け取った時間情報、および前記受け取った位置情報に応答して、かつこれらの関数として、前記受け取った検索入力と関連した１つ以上の検索結果を特定するステップと、
図式識別子を有する地図を表示する第２表示エリアを設けるステップと、
時間識別子を有するカレンダーを表示する第３表示エリアを設けるステップと、
を含み、
前記第２表示エリアにおける前記地図上にある前記図式識別子の各々は、前記第３表示エリアにおける前記カレンダー上にある時間識別子のうち少なくとも１つと対応して、前記地図上においてユーザーが前記図式識別子のうち１つを選択すると、前記カレンダー上にある前記時間識別子の１つの対応する選択が選択され、または前記カレンダー上においてユーザーが前記時間識別子のうち１つを選択すると、前記地図上において前記図式識別子の１つの対応する選択が選択される、方法。
【請求項１８】
請求項１７記載の方法であって、更に、時間情報および位置情報を定めるために、前記第１表示エリアにある前記検索入力を分析するステップを含み、特定するステップは、前記１つ以上の問合入力、前記受け取った時間情報、前記受け取った位置情報、前記定められた時間情報、および前記定められた位置情報に応答して、かつこれらの関数として、前記受け取った問合と関連のある１つ以上の結果を特定するステップを含む、方法。
【請求項１９】
請求項１７または１８に記載の方法であって、更に、前記地図上における前記図式識別子のうちの１つの選択、または前記カレンダー上における前記時間識別子のうちの１つの選択に応答して、前記検索結果の追加情報を表示する第４表示エリアを設けるステップを含む、方法。
【請求項２０】
請求項１７から１９のいずれかに記載の方法において、前記情報源は、デフォルト位置情報、デフォルト時間帯位置、デフォルトＩＰアドレス、ＩＰ履歴、時間情報の追加ユーザー入力、および位置情報の追加入力のうち少なくとも１つを含む、方法。